(57)【要約】      （修正有）【課題】ユーザーが持ち運びや収納ができ、簡単に展開できる折りたたみテーブルを提供する。【解決手段】折りたたみ式で持ち運びができるラック構造の折りたたみテーブル１は、第一板体２、第一支持体３、第二板体４および２つの第二支持体５から構成される。第一支持体３に張り出して設けられた斜片部３２は、使用者が第一支持体３を手に持ち、スムーズに展開することができる。【選択図】図２
0003233469.tif 000002
【実用新案登録請求の範囲】
【請求項１】
第一板体、第一支持体、第二板体及び２つの第二支持体を備える折りたたみテーブルであって、
前記第一板体と前記第二板体とは回転でき、前記第一板体と前記第一支持体とは回転でき、さらに前記第二板体と前記第二支持体とは回転できるように係合されており、
前記第一板体は、対面する側縁に設けられた側面に前記第二板体と回転できるように回転支持用の第一ホールが設けられ、２つの該側面の反対側の略端に前記第一支持体と回転できるように回転支持用の第二ホールを設けられており、
前記第一支持体は、対面する側縁に側板が設けられ、前記第一板体と回転できるように該対面する側縁の側板の略端に回転支点用ホールが設けられており、
前記第二板体は、４つの側縁に側板が設けられ、前記側板のうち対面する側板に前記第一板体の回転支持用の第一ホールと対となる回転支持用の第三ホールが設けられており、前記第一板体と自在に回転でき、さらに前記側板の他の２つの側板の両端の略端に２つの前記第二支持板それぞれと回転できるように回転支持用の第四ホールが設けられており、
前記第二支持体は、対面する側縁に設けられた側板の略端に前記第二板体の回転支持用の前記第四ホールと対となる回転支持用ホールが設けられていることを特徴とする折りたたみテーブル。
【請求項２】
請求項1に記載の折りたたみテーブルにおいて、前記第一支持体の前記対面する側板の間の側縁に斜片部が延びて設けられていることを特徴とする折りたたみテーブル。
【請求項３】
請求項1又は請求項２に記載の折りたたみテーブルにおいて、前記第1支持体が前記第1板体の側板間に位置することを特徴とする折りたたみテーブル。
【請求項４】
請求項1から請求項３までのいずれか１項記載の折りたたみテーブルテーブルにおいて、前記第一板体の天板の裏側に前記第一板体より小さい前記第二板体を収納することができ、収納したときに前記第二板体の側面と向き合う前記第一板体の側面が、前記第二板体の側面の外側に位置していることを特徴とする折りたたみテーブル。
【請求項５】
請求項1から請求項４までのいずれか１項記載の折りたたみテーブルにおいて、前記第二支持体は該第二支持体の天板平面に対して角度を有する延伸板部が設けられていることを特徴とする折りたたみテーブル。
【請求項６】
請求項1から請求項５までのいずれか１項記載の折りたたみテーブルにおいて、前記第一板体及び前記第一支持体、前記第一板体及び前記第二板体、並びに前記第二板体及び前記第二支持体がそれぞれの回転支持用ホールにおいて回転できるように螺子とナットにより係合されていることを特徴とする折りたたみテーブル。
【考案の詳細な説明】
【技術分野】
【０００１】
携帯することができる折りたたみテーブルに関する技術分野である。
【背景技術】
【０００２】
近年、屋外活動やキャンプが盛んになっており、屋外活動やキャンプ時における快適性の向上、利便性の向上により、多くのメーカーは継続的に屋外活動及びキャンピング関連製品、レクレーション道具を開発している。これらの品物を置くテーブルは必要不可欠なものでり、多くの折りたたみテーブルや折り曲げ台の方式を利用した携帯テーブルがある。しかし、折りたたみ又は折り曲げた後に大きさが嵩張り、かつその後の運搬においても、ユーザーにとっては依然として不便が多い。
【０００３】
このような状況において、特許２９５９７１６は、折畳んだ状態のときには、テ−ブル下面の基杆の内側に脚筒柱が同一面状になるように収納できるように構成したことを特徴とする薄型折畳テ−ブルについて特許を受けている。
【０００４】
【特許文献１】特許２９５９７１６
【考案の概要】
【考案が解決しようとする課題】
【０００５】
野外活動やキャンプ等に使用される折りたたみテーブルは、折りたたみ又は折り曲げ後においても嵩張り、またその運搬又は携帯に不便が多い。さらに折りたたみの展開、及び折りたたみが容易でない。
【０００６】
しかし、特許２９５９７１６はテーブル下面に収納した脚筒柱がテーブル裏面側で露出しており、折りたたみ後も嵩張り、また運搬又は携帯に不便であるという課題がある。
【課題を解決するための手段】
【０００７】
上記課題を解決するために、本考案は、次の折りたたみテーブルを提供する。
【０００８】
第一板体、第一支持体、第二板体及び２つの第二支持体を備える折りたたみテーブルであって、
前記第一板体と前記第二板体とは回転でき、前記第一板体と前記第一支持体とは回転でき、さらに前記第二板体と前記第二支持体とが回転できるように係合されており、
前記第一板体は、対面する側縁に設けられた側面に前記第二板体と回転できるように回転支持用の第一ホールが設けられ、２つの該側面の反対側の略端に前記第一支持体と回転できるように回転支持用の第二ホールを設けられており、
前記第一支持体は、対面する側縁に側板が設けられ、前記第一板体と回転できるように該対面する側縁の側板の略端に回転支点用ホールが設けられており、
前記第二板体は、４つの側縁に側板が設けられ、前記側板のうち対面する側板に前記第一板体の回転支持用の第一ホールと対となる回転支持用の第三ホールが設けられており、前記第一板体と自在に回転でき、さらに前記側板の他の２つの側板の両端の略端に２つの前記第二支持板それぞれと回転できるように回転支持用の第四ホールが設けられており、
前記第二支持体は、対面する側縁に設けられた側板の略端に前記第二板体の回転支持用の前記第四ホールと対となる回転支持用ホールが設けられていることを特徴とする折りたたみテーブルによって課題を解決する。
【０００９】
前記折りたたみテーブルにおいて、前記第一支持体の前記対面する側板の間の側縁に斜片部が延びて設けられていることを特徴とする折りたたみテーブルによって課題を解決する。
【００１０】
前記折りたたみテーブルにおいて、前記第1支持体が前記第1板体の側板間に位置することを特徴とする折りたたみテーブルによって課題を解決する。
【００１１】
前記折りたたみテーブルテーブルにおいて、前記第一板体の天板の裏側に前記第一板体より小さい前記第二板体を収納することができことができ、収納したときに前記第二板体の側面と向き合う前記第一板体の側面が前記第二板体の側面の外側に位置していることを特徴とする折りたたみテーブルによって課題を解決する。
【００１２】
前記折りたたみテーブルにおいて、前記第二支持体は該第二支持体の天板平面に対して角度を有する延伸板部が設けられていることを特徴とする折りたたみテーブルによって課題を解決する。
【００１３】
前記折りたたみテーブルにおいて、第一板体及び第一支持体、第一板体及び第二板体、並びに第二板体及び第二支持体がそれぞれの回転支持用ホールにおいて回転できるように螺子とナットにより係合されていることを特徴とする折りたたみテーブルによって課題を解決する。
【考案の効果】
【００１４】
考案の折りたたみテーブルは第一板体２、第一支持体３、第二板体４及び第二支持体５により折りたたみ式で持ち運びができるラック構造であり、折りたたみ後、全体体積が縮小でき、ユーザーが持ち運びや収納ができ、さらに簡単に折りたたみテーブルに展開することができる。また、展開することにより、ユーザーが物を置いたり、乗ったりできる。
【図面の簡単な説明】
【００１５】
【図１】折りたたみテーブルの立体外観図
【図２】折りたたみテーブルの立体分解図
【図３】よりよい実施例の第一板体と第二板体とを展開した状態の概略図
【図４】よりよい実施例の展開した状態の概略図
【図５】よりよい実施例の使用状態の概略図
【考案を実施するための形態】
【００１６】
次に、添付の図面を参照しながら実施例により本考案の実施の形態について詳しく説明する。
【実施例】
【００１７】
本考案の折りたたみテーブルは折りたたみ式で持ち運びができるラック構造である。
図１から図５までに本考案の折りたたみテーブルの一例を示す。
本考案の折りたたみテーブル１は、第一板体２、第一支持体３、第二板体４および２つの第二の支持体５から構成される。
【００１８】
前記第一板体２は、３つの側縁にそれぞれ側板２１が設けられ、残りの一側縁に側板２２が延びている。対面する２つの側縁の側板２１の略端には、後述するように、前記第二板体４と回転できるように回転支持用の第一ホール２１１がそれぞれ設けられている。また、前記対面する２つ側縁の側板２１には、前記第一ホール２１１の反対側の略端に、後述するように前記第一支持体３と回転できるように回転支持用の第二ホール２１２がそれぞれ設けられている。
【００１９】
前記第一支持体３は、対面する側縁に側板３１が設けられている。前記側板３１の略端には、前記第一板体２と回転できるようにするために回転支点用ホール３１１が設けられている。
【００２０】
前記第二板体４は、４つの側縁に対面する側板４１及び対面する側板４２が設けられている。対面する２つの側板４１には前記第一板体２の回転支持用の前記第一ホール２１１と対となる回転支持用の第三ホール４１１が設けられている。前記側板４２の両側の略端には、２つの第二支持板５それぞれと回転できるように回転支持用の第四ホール４２１が設けられている。
【００２１】
前記第二支持体５には、３つの側縁に対面する側板５１及び前記第二支持体５の天板平面に対して角度を有する側板５２が設けられている。対面する前記側板５１の略端には、前記第二板体４の回転支持用の前記第四ホール４２１と対となる回転支持用ホール５１１が設けられている。
【００２２】
前記第一板材２には前記第一支持体３を収納でき、前記第一板体２及び前記第一支持体３とは、前記第一板体２の２つの前記第二ホール２１２及び前記第一支持体３の２つの前記ホール３１１により螺子６及びナットによって回転できるように係合されている。
【００２３】
前記第二板材４には２つの前記第二支持体５を収納でき、前記第二板体４とそれぞれの前記第二支持体５とは、前記第二板体４の２つの前記第４ホール４２１及び前記第二支持体５の２つの回転支持用の前記ホール５１１により螺子６及びナットによって回転できるように係合されている。
【００２４】
図１のように前記第二板体４は前記第一板体２に収納できる。図１の前記折りたたみテーブル１の収納状態から、図３のように前記第一板体２から前記第二板体４を展開し、次に図４のように前記第一板体２から前記第一支持体３を展開し、さらに前記第二板体４から２つの第二支持体５を展開する。その後、図５のように全体を反転すると、前記第一支持体３及び２つの前記第二支持体５に支えられる前記第一板体２及び前記第二板体４によるテーブルが完成する。前記第一支持体３及び２つの前記第二支持体５により前記第一板体２と前記第二板体４が支えられ、その上に物を置くことができる。
【００２５】
図５の前記折りたたみテーブル１の使用状態から、前記第一板体２に前記第一板体３を折りたたんで収納し、前記第二板体４に２つの前記第二支持体５を折りたたんで収納し、その後前記第一板体２に第二板体４を収納して閉じると、全体の体積が大幅に縮小し、ユーザーが携帯使用できる。
【００２６】
前記第一支持体３には、斜片体３２が延びて設けられている。
【００２７】
前記第一支持体３の前記側面３１が前記第一板体の側面２１の間に設けられている。
【００２８】
第二板体４は第一板体２に収納できるように設けられ、第一板体２の側面２１は第二板体４の側面４１の外側に位置している。
【００２９】
前記第二支持体５には、該第二支持体５の天板平面に対して角度を有する延伸板５２が設けられている。ここで天板とは荷物等置くテーブル面をいう。
【００３０】
前記第一板体体２、前記第二支持体３、前記第二板体４および前記第二支持体５の第一ホール２１１、第二ホール２１２、ホール３１１、第三ホール４１１、第四ホール４２１、ホール５１１には、螺子６及びナットが別に設けられている。
【００３１】
前記折りたたみテーブル１を使用していない時には、図１のように、前記支持体３は前記第一板体２の内に折りたたんで収納され、前記第二支持体５は前記第二板体４の内に折りたたんで収納され、そして前記第二板体４は前記第一板体２に折りたたんで収納される。したがって、前記折りたたみテーブル１は、使用していない時には、全体の体積面積はわずか前記第一板体２の大きさであり、使用者の携帯や収納に便利である。
【００３２】
前記折りたたみテーブル１を使う時には、図３から図５までのとおり、先に前記第一板体２から前記第二板体４を展開し、前記第一板体２から前記第一支持体３を展開し、前記第２板体４から２つの前記第二支持体５を展開する。なお、前記第一支持体３と前記第二支持体５の展開は逆の順番でもよい。そして全体を最後に返すと図５のように前記折りたたみテーブル１が完成する。前記折りたたみテーブル１を地面に置けば、物を前記第一板体２及び前記第二板体４で形成されるテーブルに置くことができる。また、使用者は、前記第一板体２及び前記第二板体４に乗ることもできる。
【００３３】
前記第二板体４が、前記第一板体２内から展開した後、前記第一支持体３が前記第一板体２内から展開されるときに、前記第一板体２の側板２１と前記第一支持体３の側板３１とが接触する。接触すると、前記側板２１は、前記第一支持体３の回転を止め、前記第一支持体３の展開角度が大きくならず前記第一板体２を支持できる角度を維持する。
また、前記第二支持体５が前記第二板体４内から展開されるときに、前記第二支持体５の両側の側板５１は、前記第二板体４の第一側板４１に接触する。この接触により前記第二支持体５の回転が止まり、前記第二支持体５の展開角が大きくならずに前記第二板体４を支持できる角度を維持する。
【００３４】
また、前記第一支持体３に張り出して設けられた斜片部３２は、主に使用者が前記第一支持体３を手に持ち、スムーズに展開することができるようにするほか、前記第1支持体３の全体的な構造強度を高めて、長時間使用しても前記第一支持体３が変形することを回避することができる。
【００３５】
また、２つの前記第二支持体５のそれぞれに延びて設けられた延伸板部５２は、主に前記第二支持体５の全体構造強度を増加させ、長期使用しても前記第二支持体５が変形しないようにする。また、第二支持体５と第二板体４との間には隙間があり、前記延伸板部５２によって第二支持体５を第二板体４に折りたたむ際に、使用者が該第二支持体５を保持して折りたたむことができる。
【００３６】
一方、前記第一板体2の側板２１、前記第二板体４の第一側板４１及び第二側板４２、前記第一支持体３の側板３２並びに前記第二支持体５の側板５１は、前記第一支持体２、前記第二支持体４及びテーブル全体の構造の強度を高め、そして前記側板２１、前記第一側板４１、前記第二側板４２の寸法の設定により、前記第一板体２と第二板体４とをそれぞれ前記第一支持体３と前記第二支持体５の収納スペースとして設け、第一支持体３と第二支持体５を折りたたむことができる。
【００３７】
上述したように、考案の折りたたみテーブル１は第一板体２、第一支持体３、第二板体４及び第二支持体５により折りたたみ式で持ち運び又は携帯ができるラック構造であり、折りたたみ後、全体体積が縮小でき、ユーザーが持ち運び又は携帯するできる。さらに使用時には簡単にテーブルに展開することができ、ユーザーが物を置いたり、乗ったりすることができる。
【産業上の利用可能性】
【００３８】
野外活動やキャンプ等に使用される、運搬又は携帯が容易なラック構造の折りたたみテーブルであり、また収納状態から該折りたたみテーブルへの展開及び収納状態への折りたたみが容易であり、産業上の利用ができる。
【符号の説明】
【００３９】
1：折りたたみテーブル、２：第一板体、２１：第一板体の側板、２１１：第２板体との回転支点用の第一ホール、２１２：第一支持体との回転支点用の第二ホール、２２：延伸片体、３：第一支持体、３１：第一支持体の側板、３１１：第一支持体の回転支点用ホール、３２：第一支持体の斜片部、４：第二板体、４１：第二板体の第一側板、４１１：第一板体との回転支持用の第三ホール、４２：第二板体の第二側板、４２１：第二支持体との回転支点用の第四ホール、５：第二支持体、５１：第二支持体の側板、５１１：第二支持体の回転支点用ホール、５２：第二支持体の延伸板部、６：螺子
【図１】
0003233469.tif 000003
【図２】
0003233469.tif 000004
【図３】
0003233469.tif 000005
【図４】
0003233469.tif 000006
【図５】
0003233469.tif 000007